(57)【要約】【課題】照明灯用の蓄電池を支柱の上部に設けて台風や豪雨による洪水や道路の冠水が発生した場合でも、浸水による蓄電池の破損は起こらないようにするとともに、蓄電池の交換やメンテナンスを行う際に高所の作業であっても作業者が安定した姿勢で作業でき、かつ作業対象箇所が見えやすいようにした照明灯用のソーラーパネルユニット、及び当該ソーラーパネルユニットを利用した照明灯を提供すること。【解決手段】支柱の上部にソーラーパネルと発光部とを備える照明灯に用いるソーラーパネルユニットであって、ユニット本体の上面にソーラーパネルを備えると共に、ユニット本体内に制御部と蓄電池とを備え、前記ユニット本体は開閉自在となされ、開いた状態では前記制御部と蓄電池が視認できるようにした。【選択図】        図３
2020198171.tif 000002
【特許請求の範囲】
【請求項１】
支柱の上部にソーラーパネルと発光部とを備える照明灯に用いるソーラーパネルユニットであって、ユニット本体の上面にソーラーパネルを備えると共に、ユニット本体内に制御部と蓄電池とを備え、前記ユニット本体は開閉自在となされ、開いた状態では前記制御部と蓄電池が視認できる位置に配されていることを特徴とする照明灯用のソーラーパネルユニット。
【請求項２】
ユニット本体は、上側筐体と下側筐体とから構成されて上下に開閉自在となされ、制御部及び蓄電池は、前記下側筐体内に配されていることを特徴とする請求項１に記載のソーラーパネルユニット。
【請求項３】
ユニット本体を開いた状態で保持する保持手段を備えたことを特徴とする請求項１又は２に記載のソーラーパネルユニット。
【請求項４】
地上に立設する支柱の上部に発光部と請求項１乃至３のいずれかに記載のソーラーパネルユニットとを備えることを特徴とする照明灯。
【発明の詳細な説明】
【技術分野】
【０００１】
本発明は、ソーラーパネル（太陽電池）により起電された電力を用いて光源を発光させることにより照明を行う照明灯に用いるソーラーパネルユニットに関するものである。
【背景技術】
【０００２】
ソーラーパネルを用いて発電した電力を利用して照明を行う照明灯が従来からあり、様々な形態のものが提案されている。例えば、支柱の上端部にソーラーパネルが配され、その下に発光部が設けられると共に、支柱の下部に制御ボックスが備えられ、当該制御ボックス内に発光部の発光を制御する制御盤と蓄電池が収納された照明灯がある。前記ソーラーパネル、発光部、制御盤及び蓄電池は電気的に接続されており、ソーラーパネルで起電された電力は蓄電池に蓄えられ、当該電気により発光部を発光させて照明を行う（特許文献１）。
【０００３】
この従来の照明灯によれば、制御盤や蓄電池の修理や交換、メンテナンス等を行う際に、作業者が地上に立ったままで作業できるので、作業が容易である。しかしながら、近年は台風やゲリラ豪雨が多発して洪水や道路の冠水が度々発生しており、それによって制御ボックスに浸水して蓄電池が破損するというケースが多く生じている。
【０００４】
この課題に対しては、蓄電池を支柱の上部に設けるようにした照明灯がある（特許文献２）。この種の照明灯においては、蓄電池は支柱の上部に配され、かつ太陽光が直接当たらないようにソーラーパネルの背面側（下面側）に備える蓄電池収納部内に配されている。この照明灯によれば、蓄電池が支柱の上部に配されているので、台風や豪雨による洪水や道路の冠水が発生した場合でも、浸水による蓄電池の破損は起こらないという利点がある。
【先行技術文献】
【特許文献】
【０００５】
【特許文献１】特開平１０−１２０１６号公報
【特許文献２】特開２０１５−０１５１１７号公報
【発明の概要】
【発明が解決しようとする課題】
【０００６】
しかしながら、この従来の照明灯では、蓄電池の交換やメンテナンスを行うときは高所での作業になる上に、蓄電池がソーラーパネルの背面側（下面側）に配されていることから、作業者は作業対象箇所の下方から上を向いて作業することを強いられるという不都合があった。すなわち、作業者は高所で上を向いて作業をすることから姿勢が不安定になるので落下事故を起こす危険性があり、かつソーラーパネルの背面側（下面側）に備える蓄電池収納部の下面又は側面に設けられた開口部から手を入れて作業をするので、作業対象箇所が陰になって見えづらいという問題があった。
【０００７】
本発明は上記の課題を克服するためのものであり、照明灯用の蓄電池を支柱の上部に設けて、台風や豪雨による洪水や道路の冠水が発生した場合でも浸水による蓄電池の破損は起こらないようにするとともに、蓄電池の交換やメンテナンスを行う際に高所の作業であっても作業者が安定した姿勢で作業でき、かつ作業対象箇所が見えやすいようにした照明灯用のソーラーパネルユニット、及び当該ソーラーパネルユニットを利用した照明灯を
提供することを目的とする。
【課題を解決するための手段】
【０００８】
上記目的を達成するために、本発明は次のような構成としている。すなわち、本発明に係る照明灯用のソーラーパネルユニットは、支柱の上部にソーラーパネルと発光部とを備える照明灯に用いるソーラーパネルユニットであって、ユニット本体の上面にソーラーパネルを備えると共に、ユニット本体内に制御部と蓄電池とを備え、前記ユニット本体は開閉自在となされ、開いた状態では前記制御部と蓄電池が視認できる位置に配されていることを特徴とする。本発明に係るソーラーパネルユニットによれば、照明灯の蓄電池がソーラーパネルユニット本体内に備えられることにより支柱の上部に設けられているので、台風や豪雨による洪水や道路の冠水が発生した場合でも、浸水による蓄電池の破損は起こらない。また、前記ソーラーパネルユニット本体が開閉自在となされ、開いた状態では蓄電池や制御部が視認できる位置に配されているので、蓄電池の交換やメンテナンスを行う際に高所の作業であっても作業者が安定した姿勢で作業でき、かつ作業対象箇所が見えやすい。
【０００９】
また、本発明に係るソーラーパネルユニットにおいて、ユニット本体は、上側筐体と下側筐体とから構成されて上下に開閉自在となされ、制御部及び蓄電池は、前記下側筐体内に配されていることを特徴とする。このようにすれば、上方から見下ろすような位置、姿勢で制御部のメンテナンスや蓄電池の交換ができる。
【００１０】
さらに、本発明に係るソーラーパネルユニットにおいて、ユニット本体を開いた状態で保持する保持手段を備えたことを特徴とする。このようにすれば、開いた状態のユニット本体を閉じてしまわないように手で支えておく必要がなくなるので、両手を自由に使ってメンテナンスや蓄電池交換等の作業ができる。
また、本発明に係る照明灯は、地上に立設する支柱の上部に発光部と上述のソーラーパネルユニットとを備えることを特徴とする。
【発明の効果】
【００１１】
本発明に係るソーラーパネルユニットによれば、照明灯の蓄電池がソーラーパネルユニット本体内に備えられることにより支柱の上部に設けられているので、台風や豪雨による洪水や道路の冠水が発生した場合でも、浸水による蓄電池の破損は起こらない。また、前記ソーラーパネルユニット本体が開閉自在となされ、開いた状態では蓄電池や制御部が視認できる位置に配されているので、蓄電池の交換やメンテナンスを行う際に高所の作業であっても作業者が安定した姿勢で作業でき、かつ作業対象箇所が見えやすい。
【図面の簡単な説明】
【００１２】
【図１】本発明に係るソーラーパネルユニット及び照明灯の一実施形態を示す斜視図である。
【図２】図１に示したソーラーパネルユニット部分の背面側の斜視図である。
【図３】図１に示したソーラーパネルユニット及び照明灯において、ソーラーパネルユニットを開いた状態を示す斜視図である。
【図４】図１に示したソーラーパネルユニットのユニット本体を示す斜視図である。
【図５】図４に示したユニット本体を開いた状態を示す斜視図である。
【発明を実施するための形態】
【００１３】
次に、本発明を実施するための最良の形態について、図面を参照しながら具体的に説明する。
【００１４】
図１は、本発明に係るソーラーパネルユニット及び当該ソーラーパネルユニットを備えた照明灯の一実施形態を示す斜視図である。この図１に示すように、この実施形態に係る照明灯１は、地上に立設する円筒形状の支柱２の上端部にソーラーパネルユニット３を備えるとともに、当該ソーラーパネルユニット３のやや下方に発光部４が同じく支柱２に取り付けられてなるものである。
【００１５】
ソーラーパネルユニット３は、その上面にソーラーパネル３２が設けられ、太陽光を効率よく受光するように所定角度に傾けた状態で支柱に取り付けられている。また、ソーラーパネル上に鳥が止まってフンをした場合、当該鳥のフンによってソーラーパネル表面が覆われると発電効率が落ちるため、これを防止するためにソーラーパネルユニット３の上端辺には防鳥針６を設け、鳥が止まらないようにしている。
【００１６】
また、ソーラーパネルユニット３のやや下方には、発光部４が設けられている。発光部４はＬＥＤを光源とし、取付金具４１１及び後述するパネル架台５を介して支柱２に取り付けられている。尚、発光部４は、路面に向けて周囲を照らすべく下方へ向け所定角度に傾斜させて取り付けられる。
【００１７】
ソーラーパネルユニット３のユニット本体３１は、図４及び図５に示すように略角柱状であって上側筐体３１１と下側筐体３１２とにより構成されており、上側筐体３１１の上面にソーラーパネル３２が配されている。上側筐体３１１と下側筐体３１２とは、図２に示すように各々の背面側上端縁において蝶番３１３により接続され、当該蝶番３１３を支軸として図３に示すように上側筐体３１１の前面側を持ち上げ（図３における矢印Ｘの方向）、あるいは押し下げる（図３における矢印Ｙの方向）ことにより開閉自在としている。
【００１８】
また、ユニット本体３１内には、上側筐体３１１を開いた状態に保持する保持手段として、トルクステー３５が設けられている。トルクステー３５は、２本のアーム３５１、３５２の一端部同士を回動軸３５３で接続してなり、アーム３５１の他端部は上側筐体３１１に、アーム３５２の他端部は下側筐体３１２にそれぞれ接続されて、上側筐体３１１を任意の開き位置（開き角度）に保持することができる。尚、ここでは上述のトルクステー３５が用いられているが、上側筐体３１１を下側筐体３１２に対して開閉自在とし、かつ上側筐体３１１を任意の開き位置に保持することを可能とするものであれば、他の任意の手段を用いることができる。
【００１９】
ユニット本体３１の下側筐体３１２内には、発光部４の発光を制御する制御部３３と、ソーラーパネル３２で起電された電力を蓄電して制御部３３と発光部４に電力を供給する蓄電池３４が配されており、ソーラーパネル３２、制御部３３、蓄電池３４及び発光部４は電気的に接続されている（図示せず）。制御部３３は、発光部４の発光を制御する制御手段を備えている。この制御手段において、例えば時計機能を備え季節や時刻に応じて発光部４を発光させ、又は照度計を備えるようにして周囲の明るさ（暗さ）に応じて発光部４を発光させることもできる。あるいは、外部の時計や各種センサから有線又は無線の手段により得られる外部情報に基づいて発光部４の発光を制御するようにしてもよい。このような構成をとることにより、日中ソーラーパネル３２にて生起した電力を蓄電池３４に蓄電し、その電力を利用して主に夜間に発光部４を発光させて照明を行う（それにより他の電力源を必要としない）ようにしたものである。
【００２０】
なお、下側筐体３１２内に配された蓄電池３４は、本実施形態においてはリチウムイオン電池が用いられている。小型化でき軽量で質量比の容量が大きいリチウムイオン電池が好ましいが、これに替えて鉛蓄電池の他、任意の蓄電池を用いることができる。
【００２１】
図１〜図３に示す通り、本実施形態におけるソーラーパネルユニット３及び発光部４は、受け部５１と支持パイプ５２とが一体的に形成されたソーラーパネル架台５を介して支柱２に取り付けられる。すなわち、図２に示すようにソーラーパネル架台５の受け部５１をソーラーパネルユニット３の背面部にネジ止めするとともに、取付金具４１１を介して発光部４をソーラーパネル架台５に取り付け、ソーラーパネルユニット３と発光部４とを上述の通り電気的に接続する（図示せず）。これにより、ソーラーパネルユニット３と発光部４とをソーラーパネル架台５を介して一体とする。しかる後に、ソーラーパネル架台５の下端に設けられた円筒状の開口部を支柱２の上端部に被せ、ネジ止めするなどして固定することで、ソーラーパネルユニット３及び発光部４は支柱２の上部に取り付けられ、これによって照明灯の設置が完了する。
【００２２】
このような構成をとることにより、作業者は予め地上でソーラーパネルユニット３及び発光部４をソーラーパネル架台５に取り付けて一体とし、かつソーラーパネルユニット３と発光部４との電気的接続を完了しておけばよい。そのうえで一体としたソーラーパネルユニット３、発光部４及びソーラーパネル架台５を支柱２の上部に取り付ける高所作業としては、上述の通りソーラーパネル架台５の支持パイプ５２の下端に設けられた円筒状の開口部を支柱２の上端部に被せ、ネジ止めするなどして固定すればよく、取り付け作業が簡便かつ安全なものとなる。
【００２３】
以上、本発明に係るソーラーパネルユニット及び照明灯について、実施形態に基づいて説明したが、本発明は、上述した実施形態に限定されるものではない。本発明の要旨を逸脱しない範囲内で当業者が思いつく各種変形を施したものも本発明の範囲内に含まれる。
【００２４】
例えば、本実施形態においては、ソーラーパネルユニット３及び発光部４は、ソーラーパネル架台５を介して支柱２に取り付けられるものとしているが、ソーラーパネルユニット３及び発光部４のそれぞれを別個に支柱２に取り付けるようにしてもよく、また、本実施形態においては、上側筐体３１１を開いた状態に保持する保持手段としてトルクステー３５が用いられているが、上側筐体３１１を下側筐体３１２に対して開閉自在とし、かつ上側筐体３１１を任意の開き位置に保持することを可能とするものであれば、他の任意の手段を用いることができるものであって、そのような変形例も本発明の範囲に含まれるものである。
【産業上の利用可能性】
【００２５】
本発明によれば、照明灯用の蓄電池を支柱の上部に設けて台風や豪雨による洪水や道路の冠水が発生した場合でも浸水による蓄電池の破損は起こらず、また蓄電池の交換やメンテナンスを行う際に高所の作業であっても作業者が安定した姿勢で作業でき、かつ作業対象箇所が見えやすいようにした照明灯用のソーラーパネルユニット、及び当該ソーラーパネルユニットを利用した照明灯を提供することが可能となる。
【符号の説明】
【００２６】
１      照明灯
２      支柱
３      ソーラーパネルユニット
３１    ユニット本体
３１１  上側筐体
３１２  下側筐体
３２    ソーラーパネル
３３    制御部
３４    蓄電池
４      発光部
５      ソーラーパネル架台
【図１】
2020198171.tif 000003
【図２】
2020198171.tif 000004
【図３】
2020198171.tif 000005
【図４】
2020198171.tif 000006
【図５】
2020198171.tif 000007